(57)【特許請求の範囲】
【請求項１】
内周にネジ溝が形成された筒体の上部外周に床板を支持する三つの支持アームを互いに等間隔離して側方へ張り出してなる台座と、
前記筒体に螺合可能であって頂部に回動工具係合用の凹部を設け、下部に床基礎面に接合するフランジ部を一体に設けて形成してなる支持ボルトからなる床板支持装置。
【請求項２】
内周にネジ溝が形成された筒体の上部外周に三つの支持アームを互いに等間隔離して側方へ張り出してなる台座と、頂部に回動工具係合用の凹部を設け、下部にフランジ部を一体に設けて形成してなる支持ボルトからなる支持装置を床上から床板に形成された開口を通して床下に入れ、
台座の筒体に螺合した支持ボルトのフランジ部が前記開口の中心直下で床基礎面に接合するように床下の支持装置の位置を調整し、
次いで床上から前記開口内に回動工具を差し入れて筒体に螺合した支持ボルトの凹部に係合させ、回動工具で支持ボルトを回動して筒体内の支持ボルトの螺合深さを調整することにより台座の各支持アームを床板下面に接合させ、
その後、床板の開口をカバー板を装着して塞ぐことにより、既設の床板を補強することを特徴とする床板の補強構造。
【発明の詳細な説明】
【技術分野】
【０００１】
本発明は、床基礎面上に設置して床板を支持する装置と、これを利用して既設の床板を補強する構造に関する。
【背景技術】
【０００２】
床基礎面上で床板を一定の高さに支持する装置として、例えば図５に示されるように、床基礎面５１に設置した基部５２ａ上に支持ボルト５２ｂを上向きに支持し、この支持ボルト５２ｂに、雌ネジを切った管部５２ｃを下面中央に突出させて円形に形成された支承板５２ｄを螺合し、支承板５２ｄの上面で床板５３を支持し、また、床板５３に形成された開口５３ａを通じて床上から支持ボルト５２ｂを回動操作して床板５３の高さ調整を可能とした構成のものが知られている（例えば特許文献１参照）。
【０００３】
【特許文献１】実公平６−３０７５号公報
【発明の開示】
【発明が解決しようとする課題】
【０００４】
従来の支持装置５２は、床板５３を敷設する前に、或いは敷設工事と同時進行で、床基礎面５１上に支持装置５２を設置する必要があり、既設の建物の床板には取り付けることができなかった。
【０００５】
ところで、近時、戸建住宅やマンションなどの集合住宅を増改築したり修繕したりする住宅リフォームの需要が増加しており、特にトイレや洗面台、台所といった水廻りの設備をリフォームするケースが多い。
その中で、例えば洗面所を別な場所に移動するが元の場所の床板を張替えないケースでは、洗面台があった元の場所の床板には給排水管を通していた開口がぽっかりと空いたままとなり、これを塞いで床板を補強する工事が必要となる。しかし、床下に潜り込んでの工事ができないことから、従来は木片を前記開口から床下に落し入れてこれを床板下面に接するまで積み上げるようにしていた。
【０００６】
この場合に、開口が狭いことと相俟って床上からの作業のため、木片を床板に接する高さまで隙間なくきっちりと積み上げることが難しく、木片の上面が床板に僅かに接しているだけで床板を十分に補強できていなかったり、木片を床下に無理矢理押し込んで積み上げたために木片から床板に上向きの応力が過度にかかり、木片が接する開口廻りの床板を変形させてしまったりすることがあった。
また、このような積み上げた木片の高さ調整は作業者個々の技量に頼るところが大きく、作業者によって施工品質のバラツキが大きいという問題があった。
前記図示した支持装置を床下に設置することができれば、床板を支持する高さを適正に調整して開口部分を補強可能であるが、従来構成の支持装置は床板が張られた既設の建物への利用については何ら考慮されてはいないため、床下に通じる大きな穴が床板に形成されていない限り支持装置を設置することができない。
【０００７】
本発明は従来技術の有するこのような問題点に鑑み、既設の床板を張替えることなく、床板に形成された開口から床下に支持装置を設置し、この支持装置で床板を適切な高さに支持し、補強できるようにすることを課題とする。
【課題を解決するための手段】
【０００８】
前記課題を解決するため本発明は、内周にネジ溝が形成された筒体の上部外周に床板を支持する三つの支持アームを互いに等間隔離して側方へ張り出してなる台座と、前記筒体に螺合可能であって頂部に回動工具係合用の凹部を設け、下部に床基礎面に接合するフランジ部を一体に設けて形成してなる支持ボルトにより床板の支持装置を構成した。
【０００９】
これによれば、床板下面を支持する台座の支持アームを互いに筒体の上部外周から側方へ三方に分岐させて設けてあるので、床板に形成された開口の内径よりも筒体の中心から支持アーム先端までの外径が大きくても、開口をくぐらせて台座を床上から床下に装置することが可能であり、台座の筒体に下方から螺合して基礎床面上に立てた支持ボルトの螺合深さを調整して開口廻りの床板下面に支持アームを接合させることにより、床板を適切な高さに支持して開口が形成された部分を補強することができる。
【００１０】
また、本発明の床板の補強構造は、前記構成の支持装置を用い、これを床上から床板に形成された開口を通して床下に入れ、台座の筒体に螺合した支持ボルトのフランジ部が前記開口の中心直下で床基礎面に接合するように床下の支持装置の位置を調整し、次いで床上から前記開口内に回動工具を差し入れて筒体に螺合した支持ボルトの凹部に係合させ、回動工具で支持ボルトを回動して筒体内の支持ボルトの螺合深さを調整することにより台座の各支持アームを床板下面に接合させ、その後、床板に形成された開口をカバー板を装着して塞ぐことにより、既設の床板を補強するように構成したものである。
【発明を実施するための最良の形態】
【００１１】
本発明の好適な一実施形態を図面を参照して説明する。
図１は本発明の一実施形態の支持装置を台座と支持ボルトを分離して示した要部破断構成図、図２は図１の台座の平面図、図３と図４は図１の支持装置を開口を通して床下に設置した状態を床板の上方と側方から示した図であり、図中、符号１は支持装置、１１は台座、１２は支持ボルト、２は床板、２１は床板２に形成された開口、３は床基礎面、４はカバー板をそれぞれ示している。
【００１２】
この形態は、本発明を水周り設備のあった場所のリフォームに伴う床板２の補強を適用した一例であり、床板２上に設置されていた水周り設備とこれに接続して開口２１から床下に通されていた給排水管を取り去り、床上に円形に露出した開口２１の部分を支持装置１で補強し、さらに開口２１をカバー板４で閉鎖するものである。
【００１３】
本形態の支持装置１は、内周にネジ溝が形成された適宜な太さの円筒体１１ａの上部からその周囲側方へ突出した床板２を支持する三つの支持アーム１１ｂを設けてなる台座１１と、円筒体１１ａに螺合する雄ネジが切られた支持ボルト１２により構成してある。
【００１４】
より詳しくは、台座１１の三つの支持アーム１１ｂは、各々円筒体１１ａの上部外周面から側方へ一定の幅で分岐して延び、その先端部分を根元部分よりも幅広に設けるとともに上面を円筒体１１ａの上面と面一に設けて形成してある。図２に示されるように、座板２を上方から見ると各支持アーム１１ｂは円筒体１１ａを中心にＹ字形に張り出した形状を呈し、各支持アーム１１ｂの円筒体１１ａの軸心Ｏから先端縁部までの長さ（Ｌ）を同一に設定し、且つ軸心Ｏの廻りで三つの支持アーム１１ｂを互い等角度（１２０°）だけ離して設けてある。また、各支持アーム１１ｂには、カバー板４を固定する留め具（図示せず）の挿通孔１１ｃを形成してある。
【００１５】
なお、支持アーム１１ｂの長さ（Ｌ）は、床板２に形成された開口２１の半径（Ｒ）よりも大きく設定される（図３参照）。例えば集合住宅において給排水管を通すために床板２に形成される開口２１はその半径（Ｒ）が標準で７０ｍｍ程度であるが、この場合、支持アーム１１ｂの長さ（Ｌ）をこれよりも長い９０ｍｍ程度に設けた台座１１が用いられる。
【００１６】
また、支持ボルト１２は、その頂部に回動工具（図示せず）が係合する凹部１２ａを設け、下部に床基礎面３に接合するフランジ部１２ｂを一体に設けて形成してある。フランジ部１２ｂは、前記円筒体１１ａと略同じ外径寸法の皿状に設けてある。
【００１７】
このように構成された支持装置１を用いた床板２の補強手順は、先ず、支持ボルト１２が円筒体１１ａに深く螺合した支持装置１を床上から開口２１を通して床下に入れ、フランジ部１２ｂを床基礎面３に接合させて支持ボルト１２を床基礎面３上に立設させる。このとき、円筒体１１ａが開口２１の中心直下に配置されるように支持ボルト１２の立設位置を調整しておく。
【００１８】
次いで、床上から開口２１内に回動工具を差し入れ、その先端を筒体１１ａに螺合した支持ボルト１２の凹部１２ａに係合させる。そして、床上から回動工具を操作して支持ボルト１２を回動し、筒体１１ａ内の支持ボルト１２の螺合深さを調整して、各支持アーム１１ｂを床板２の下面に接合させ、開口２１の周辺部分の床板２を支持装置１で支持する。
【００１９】
その後、図４に示されるように、カバー板４を床板２の開口２１に装着してこれを塞ぎ、必要に応じてカバー板４を留め具で支持アーム１１ｂに固定することにより、床板２の補強作業が完了する。
【００２０】
このように本発明によれば、床板２を張替えたり作業者が床下に潜り込んだりすることなく、床上から支持装置１を床板２の開口２１を通して床下に設置し、開口２１の周辺部分を支持装置１で支持して床板２を補強することが可能である。また、円筒体１１ａに対する支持ボルト１２の螺合深さを床上から調整するという簡単な操作で床板２を適正な高さに支持することができ、これにより施工作業者の技量によらずに、施工品質を一定に保つことが可能である。
【００２１】
なお、図示した台座１１と支持ボルト１２の形態は一例であり、本発明の支持装置１はこれに限定されず、他の適宜な形態で構成が可能である。また、本発明の支持装置１は既設の床板２の補強に用いられる他に、新設の床板２の支持にも利用が可能である。その場合、支持装置１は床板２の敷設前や敷設工事と同時進行で床基礎面３上に設置することができる。
【図面の簡単な説明】
【００２２】
【図１】本発明の一実施形態の支持装置を台座と支持ボルトを分離して示した要部破断構成図である。
【図２】図１の台座の平面図である。
【図３】図１の支持装置を開口を通して床下に設置した状態を床板の上方から示した図である。
【図４】図１の支持装置を開口を通して床下に設置した状態を床板の側方から示した図である。
【図５】従来の床板支持装置で床板を支持した状態の床下の断面を示した図である。
【符号の説明】
【００２３】
１  支持装置、１１  台座、１１ａ  円筒体、１１ｂ  支持アーム、１２  支持ボルト、１２ａ  凹部、１２ｂ  フランジ部、２  床板、２１  開口、３  床基礎面、４  カバー板
【図１】
0004718361.tif 000002
【図２】
0004718361.tif 000003
【図３】
0004718361.tif 000004
【図４】
0004718361.tif 000005
【図５】
0004718361.tif 000006